(57)【要約】      （修正有）【課題】水稲日減水深の具体的な設定が可能となる他、無駄な掛け流し潅漑及び上流優先の配水を解消する用排水装置を提供する。【解決手段】装置設置高より排水流末高が低位にある地域の農道敷地に埋設される用排水兼用の管水路と、用水管と、管水路と用水管で連結される用排水兼用の用排水槽と、用排水槽に注水する注水口を備え、用排水槽の中にアタッチメント設置棒と浮体とが合体してなる合成浮体が配置され、底板４上の側壁６と側壁８間の寸法を３等分し、その中央２箇所に合成浮体保持柵止２１を形成し、合成浮体保持柵止２１に合成浮体位置を保持する合成浮体保持柵２０を設置する用排水装置。【選択図】図３
2020174659.tif 000002
【特許請求の範囲】
【請求項１】
自然的又は人為的に本装置設置高より排水流末高が相応に低位にある地域の、農道の路肩から法面に範囲内の農道敷地に用排水兼用の管水路を埋設し、用排水兼用の用排水槽を設け、その水槽の中に有蓋中空箱形立方体の４隅に、後述の棒状中空管の水深設定アタッチメント設置棒を備えた浮体を形成して配置の後、兼用管水路から用水管を介して既述用排水槽内に注水し、前記浮体上面が耕区田面高で停止するように該浮体の中に前記水深設定アタッチメント設置棒を介して注水して浮体の自重を調整し、該浮体上面に耕区の最大管理水深に対応する厚さを軽比重製板と柔軟性を有し止水効果の高い止水板とで、後者を前者の上に重ねて代掻き期及び水稲生育期別毎に取り換えて使用する水深設定アタッチメントを形成し、該アタッチメントと既述浮体とを合体して合成浮体と称し、耕区の必要用水量を既述兼用管水路から耕区へ流入させ、時間の経過と共に耕区の水位は上昇し、合成浮体の浮力で止水板は加圧され注水口を閉塞して耕区への注水は停止し、耕区水位が減水低下し水槽内水位も降下して合成浮体が下降するに伴い止水板への加圧も減少すると、合成浮体は自動的に下降に転じて注水口から耕区への注水が再開される機構を特徴とする用排水装置。
【請求項２】
年間を通じて大降雨が予知される場合に、用排水槽内のサイフォン管に設置したサイフォン吸気位置可変チューブの吸気口高さを、計画地域内において大雨を受けると重大な被害が発生すると判断される事象を対象にした位置に設定することにより、該事象発生により蒙る被害を免れることを特徴とする請求項１に記載の用排水装置。
【発明の詳細な説明】
【技術分野】
【０００１】  本発明は、水田の用排水装置に関する。
【背景技術】
【０００２】  文献１の従来の技術で懸念されることは、灌漑期間中に施設に故障が生じ、その修理のために断水する場合、耕区毎に断水する弁がないことは不便であり、この方式は現実的ではない。又、水稲生育中に現地での修理作業をすることは容易ではなく、予め用意したアタッチメントと取り換える方が誰にも可能な作業であり、集中一括管理方式は、個人管理が多い現状ではその適用に無理があるのではないかと思われる他、重要な流量変化に対応する記述に触れてないように見受けられる。【０００３】  非特許文献１の従来の技術では、水田の作付け時及び刈り取り時の機械運行の際に，灌漑施設器具が農業機械に触れる恐れがあり、設置した潅漑施設器具を一時撤去する必要があるが、その所要時間は僅かとはいえ不便であるとの声がある。また、期別毎の灌漑水深設定作業で、上下限の水位設定を、何センチから何センチまでと言うように、幅を持たせて設定するのは大雑把な管理方法で、農家において従来から行われている目視管理と大きな違いはないと思われる。
【先行技術文献】
【特許文献】
【０００４】
【特許文献１】特開平１１−８９４５０号  公報
【非特許文献】
【０００５】
【非特許文献１】「ＡＶ自動給水栓取り扱い説明書Ｐ．２〜１１」旭機材工業株式会社  １９９８年
【発明の概要】
【発明が解決しようとする課題】
【０００６】第一に発明が解決しようとする課題は、水稲生育期別毎の日減水深設定は関係指導機関でその必要性が叫ばれ、日減水深設定機能を備えた機器はあるものの、具体的な数値を設定する機器はなかった。また、旧来から上流優先の配水が行われている地域があり、この改善に困惑していてもこれは慣習で止むを得ないものとして諦めている地方もあるがこれを改善する。【０００７】  第二の発明が解決しようとする課題は、過去の事業において、揚水機潅漑対象面積が大規模の用水改良事業で、嵩む電力料金の負担が問題となっている。【０００８】  第三に発明が解決しようとする課題は、不時の降雨の排水作業において、従来ではその対応を降雨の最中に行う等の労力を費やしていて、これに伴う事故も発生しておりこれは危険な行為で、この洪水時の作業を解消する。
【課題を解決するための手段】
【０００９】  第一と第二の課題の解決において、従来の圃場整備の発想は、末端耕区へ十分な潅漑水量を届けることを主眼に、末端有効水頭を２ｍに設定して関連施設を設置していたが、これを見直し計画地域の必要全揚水量を、現在の揚水機場で揚げて、耕区への配水は浮力を応用した水稲生育期別毎に設けた水深設定アタッチメン（以下、アタッチメント）を構想し、不要の揚水場は廃止して、耕区毎にアタッチメント設置を遵守することにより水稲日減水深の具体的な設定が可能となる他、無駄な掛け流し潅漑及び上流優先の配水を解消する。【００１０】  第三の課題を解決するための手段は、年間にわたり大降雨が予知される場合、用排水槽に設置したサイフォン吸気口位置可変サイフォンチューブを所定の位置に設定することである。
【発明の効果】
【００１１】  本発明は構成もメンテナンスも容易で中山間地域に普及するものと推定される。【００１２】  用水管理においては、アタッチメントを水稲生育期に合わせて数種類製作し、水稲の生育期別毎にアタッチメントと取り換えるだけで潅漑水深設定が出来、作業は誰にも可能であり農作業の分散化が図られるが、アタッチメントを取り替える所要時間掛かるとの声もあろうが、管理方法等については組織として取り組むことが必要である。【００１３】  アタッチメントを水稲の生育期別毎に取り換えるだけで潅漑水深設定が出来る本発明は、我田引水が不可能で、これを実行することで用水不足の水田地域においては節水と平等配水が可能となり、旧来の上流優先の慣習が是正される。【００１４】  従来の圃場整備事業計画において、用水路と排水路の設置をそれぞれ別個に計画していたが、用排水同時に使用することはなく、用水路・排水路それぞれの大きい値の流量を流去可能な断面積を採用することで兼用管水路一本だけで用排水計画は成立し、経費の低減となる。【００１５】  排水管理において、大雨が予想される場合に、設計対象数値以内を限度として、それに対応する数値を吸気口設置位置に設定することにより、設計対象数値以内を限度としての被災を免れる他、該設定数値を栽培している作目を対象とした計画水位に設定することで、大降雨による被害を計画設定値の限度内において免れ、又、  人災の回避も可能となる。
【図面の簡単な説明】
【００１６】
【図１】本発明の用排水槽を中心にした用水流入と排水流出の形態を示す配置平面図。
【図２】兼用管水路から用排水槽へ連結する用水管及び排水管のＡ−Ａ断面図、耕区への注水半ばの形態及び潅漑期サイフォン越流部と非潅漑期サイフォン越流部を表すＢ−Ｂ断面図。
【図３】用排水槽Ｃ−Ｃ断面図で、合成浮体保持柵止に該柵を構成する下部の２本を差込み、上部の柵両端の柵棒をそれぞれの側壁穴と溝に設置した形態を表す。
【図４】潅漑期の用排水槽Ｄ−Ｄ断面図で、サイフォン吸気位置可変サイフォンチューブを巻き揚げ、潅漑期サイフォン吸気口設置位置にチューブを設置した形態及び排水口を表す。
【発明を実施するための形態】
【００１７】  以下、本発明の実施の形態について図１から図４に基づいて説明する。
図１は、図下部に用排兼用管水路１（以下、兼用管水路）の設置位置を、中央には用排水槽を示し、左中ほどに用水管１２を、右中ほどにサイフォン管吐出部１４を示す平面図である。図２は、用排水槽３（以下、水槽）の側壁と水槽底板４の取り付け関係の説明を以下の通りしている。
底板４端に接続する側壁６は、後述する浮体５の側面との間に僅かの間隙を設けると共に合成浮体保持柵設置穴に配慮して該底板４端の上方向垂直に農道路面高１０まで、側壁７は、底板４端に接続する後述浮体５の側面との間に僅かの間隙を設けると共に肘形管１５の設置空間に配慮して底板４端への上方向垂直に農道路面高１０まで、側壁８は、底板４端に接続する後述の浮体５の側面との間に僅かの間隙を設けると共に、合成浮体保持柵の設置溝に配慮して該底板４端の上方向垂直に耕区田面高１１まで、側壁９は、浮体５・合成浮体保持柵止２１・サイフォン管流入部３０の設置空間に配慮して底板４端に接続する上方向垂直に農道路面高１０まで立ち上げ、
【００１８】  兼用管水路１と水槽３を用水管１２で連結し、水槽３の上流に用水弁１３を設け、水槽３の中心線と浮体５の中心線との交点位置及びサイフォン管１４と排水管交点位置の中心線を決めた後、耕区田面高１１から肘形管１５の下端までの鉛直寸法で、代掻き期必要水深寸法又は水稲成育管理水深寸法の何れか大きい数値（以下、最大管理水深）と同等寸法を確保して注水口１６を下向きに取り付け水槽３に注水し、
【００１９】  注水口１６の外径幅寸法より小寸法で最大管理水深寸法に対応する厚さの軽比重材製板１８と弾力があり止水性の高い止水板１９とを、後者を上にして重ねて浮体５の上面四隅に浮体５内部空間に注水可能に繋がる相応な太さの中空の棒状アタッチメント設置棒１７を設置した後、
【００２０】  上面が耕区田面高さ１１で停止するようにアタッチメント設置棒１７の上端から注水して浮体５の浮体自重を調整して、アタッチメントと浮体５とを合体し合成浮体と称するが、アタッチメントの作製に当たっては、
【００２１】  耕区田面高１１と注水口１６下端間の最大管理水深寸法から該期の代掻き又は、稲の生育期別によって異なる日減水深寸方を差し引き、残余の寸法をアタッチメントの寸法と決め、アタッチメントを製作した後、合成浮体を構成し水槽の中に配置するが、
【００２２】  注水による水勢で合成浮体が側壁９側方向へ振れるのに対して、該浮体位置を保持する相応の太さの棒で構成する合成浮体保持柵（以下、保持柵）２０を設置する合成浮体保持柵止（以下、柵止）２１を、該柵と合成浮体との間に僅かの間隙を確保して、底板４上の側壁６と側壁８間の寸法を３等分し、その中央２箇所に形成し、
【００２３】  該柵を構成する下部端の２本は、前記柵止２１に差込み、保持柵２０の上部棒状水平両端部は、側壁６に形成した穴と側壁８上端面に形成した溝とに、柵棒の左右両端部をそれぞれ取り付け保持柵２０を設置して、
【００２４】  兼用管水路１から用水管１２を経て水槽３を介し、用水口２４から耕区２へ用水を流入させ、時間の経過と共に耕区田面の水位は上昇して、合成浮体上面の止水板１９は注水口１６の下端に達し、止水板１９は合成浮体の浮力で加圧され、耕区２への給水を停止し、耕区２の水位が減水低下するに伴い合成浮体上面の止水板１９の加圧も減少し、自動的に合成浮体は下降に転じ、注水口１６と止水板１９との間の僅かな間隙でも注水は再開される構成で、自動的に節水と平等配水を行うことを特徴とする用排水装置である。
【００２５】  注水口１６に加圧される静水圧と浮力との関係は、流入する水位高さと耕区田面高さ及び注水口断面積との関係から静水圧が決まるので、静水圧より浮力が相応に大となるように設計する。
【００２６】  年当初の代掻き期の通水に当たっては、代掻き用水堰板２２で用水口２４を塞ぎ、排水弁２３を閉めて、泥水が水槽３の中に流入しないように処理した後、用水弁１３を開け通水を開始をするが、低標高耕区から設定水深で優先配水され、高標高耕区の配水は後になると推定されるので、このことを事前に関係者に周知すること。なお、代掻き用水堰板の使用後は水槽の蓋として活用できる。
【００２７】  排水については、耕区２・水槽３・サイフォン管排出部１４・兼用管水路１又は排水管２８で連結して、耕区と兼用管水路の水位の高低差を利用したサイフォン作用で排水を行い、年間を通じて不時の大雨に対応すると共に、サイフォン管排出部１４の自然越流開始水位に関係する潅漑期サイフォン越流管３１及び非潅漑期サイフォン越流管３４の設置高さの決定は、作付けする作目に配慮、または地域の実情を勘案して決定するものとし、
【００２８】  潅漑期サイフォン越流管３１の越流水平部の上側に自由に湾曲可能な樹脂製管の吸気位置可変サイフォンチューブ２７を装着して、サイフォン管排出部１４の水位が越流水位に達した時点で自然越流を開始し、サイフォン管内がで満水になるとサイフォン作用が自動的に働き、排水が促進され耕区の水位は上昇から下降に転じて、吸気位置可変サイフォンチューブ２７の設定水位に達した時点で排水は自動停止する機構であり、
【００２９】  灌漑期においては、排水弁２３を閉じて、吸気位置可変サイフォンチューブ２７の設定水位を該期のアタッチメント設定水位と同一に設定することにより、不時の大降雨時にサイフォン作用による自動排水が行われ、大降雨終了後の水位はアタッチメントの設定水位に復元し、不時の大雨で計画雨量を超える降雨時の水位に対しては、該水位を超えた場合にサイフォン作用が自動的に作動して排水が開始され、計画対象区域の耕区の排水は兼用管水路１を介して計画対象地区外に排除され、作付け作物は計画基準内降雨に対して冠水被害を免れる。
【００３０】  非灌漑期においては、用水弁１４を閉めて排水弁２３を開にすることにより、排水管２８から常時自然排水が行われ、吸気位置可変サイフォンチューブ２７のチューブを伸ばして、該チューブ端を水槽３の中のサイフォン管流入部３０の高さと同一に設置することにより、不時の大雨で計画雨量を超える降雨時の水位に対し、サイフォン作用が自動的に作動し排水が開始され、計画対象区域の耕区排水は兼用管水路１を介して計画基準内降雨に対して計画対象地区外に排除され作付け作物は冠水被害を免れる。
【００３１】  潅漑期，非潅漑期において、本数値をネットワークに組み込んで操作を実行することにより、洪水の流出量調整に寄与することが可能である。
【符号の説明】
【００３２】  １  用排兼用管水路
２  耕区
３  用排水槽
４  用排水槽底板
５  浮体
６  側壁
７  側壁
８  側壁
９  側壁
１０  農道路面高
１１  耕区田面高
１２  用水管
１３  用水弁
１４  サイフォン管吐出部
１５  肘形管
１６  注水口
１７  アタッチメント設置棒
１８  軽比重材製板
１９  止水板
２０  実浮体保持柵
２１  実浮体保持柵止
２２  代掻き用堰板
２３  排水弁
２４  用水口
２７  吸気口位置可変サイフォンチューブ
２８  排水管
２９  潅漑期サイフォン吸気口設置位置
３０  サイフォン管流入部
３１  潅漑期サイフォン管越流部
３４  非潅漑期サイフォン管越流部
【図１】
2020174659.tif 000003
【図２】
2020174659.tif 000004
【図３】
2020174659.tif 000005
【図４】
2020174659.tif 000006
【手続補正書】
【提出日】令和1年11月7日(2019.11.7)
【手続補正３】
【補正対象書類名】明細書
【補正対象項目名】０００８
【補正方法】変更
【補正の内容】
【０００８】  第三に発明が解決しようとする課題は、不時の大降雨中の作業において、従来はその対応を降雨の最中に行う等の労力を費やしていて、これに伴う事故も発生しておりこれは危険な行為で、この防止と水稲の中干し時期の溝掘り及び水尻口下げ作業の重労働を軽減するために、サイフォン吸気口位置可変チューブを設置する。
【手続補正４】
【補正対象書類名】明細書
【補正対象項目名】００１０
【補正方法】変更
【補正の内容】
【００１０】  第三に発明が解決しようとする課題は、不時の大雨中の作業において、その最中に問題解決に対応せず、そのことを回避する方法としてサイフォン吸気口位置可変チューブを所定位置に設定するが、更に発展させて、該農地の栽培作目の被災防止等のために、後述の潅漑期及び非潅漑期に対応するサイフォン管越流部を設置して、サイフォン吸気口位置可変チューブを所定位置に設定する。
【手続補正５】
【補正対象書類名】明細書
【補正対象項目名】００１５
【補正方法】変更
【補正の内容】
【００１５】  排水管理において降雨が予知される場合、サイフォン吸気口設置位置にサイフォン吸気口位置可変チューブ端の高さを耕区の畦畔高を超えない相応な高さに設定することで、貯水ダム効果の数値化が可能で、結果として設計数値以内を限度としての被災を免れる他、人災等の回避が可能となる。
【手続補正６】
【補正対象書類名】明細書
【補正対象項目名】００１６
【補正方法】変更
【補正の内容】
【００１６】
【図１】本発明の用排水槽を中心にした用水流入と排水流出の形態を示す配置平面図。
【図２】兼用管水路から用排水槽へ連結する用水管及び排水管のＡ−Ａ断面図、耕区への注水半ばの形態及び潅漑期サイフォン越流部と非潅漑期サイフォン越流部を表すＢ−Ｂ断面図。
【図３】用排水槽Ｃ−Ｃ断面図で、合成浮体保持柵止に該柵を構成する下部の２本を差込み、上部の柵両端の柵棒をそれぞれの側壁穴と溝に設置した形態を表す。
【図４】潅漑期の用排水槽Ｄ−Ｄ及びＥ−Ｅ断面図で、水槽排水管の一部と水槽排水弁及び非潅漑期サイフォン管越流部と越流止水弁とを表す。
【手続補正７】
【補正対象書類名】明細書
【補正対象項目名】００２７
【補正方法】変更
【補正の内容】
【００２７】  排水については、耕区２・用排水槽３・サイフォン管吐出部１４・水槽排水管２８・兼用管水路１とで相互に連結して、暗渠排水口兼地下潅漑口又は耕区田面高１１と兼用管水路１との水位の高低差を利用したサイフォン作用で排水を行い、排水機能の万全を期している他、不時の降雨に対応するが、潅漑期サイフォン越流部３１及び非潅漑期サイフォン管越流部３４の自然越流開始位置の高さの決定に当たっては、潅漑期においては［００１５］項畦畔高さと貯水ダム化の許容量との関係等を、非潅漑期おいては作付けする作目種別及び地下潅漑水位高に配慮して決定するものとし、
【手続補正８】
【補正対象書類名】明細書
【補正対象項目名】００２８
【補正方法】変更
【補正の内容】
【００２８】  潅漑期サイフォン管越流部３１の越流水平部上側に自由に湾曲可能で、相応な口径の樹脂製管のサイフォン吸気口位置可変チューブ２７を装着し、潅漑期サイフォン管越流部３１の水位が越流水位に達した時点で自然越流が始まり、耕区の水位が上昇してサイフォン管内が満水になると自動的にサイフォン作用が作動し、更に耕区の水位が上昇し排水が進行してのち下降に転じて、サイフォン吸気口位置可変チューブ２７の設定水位に達した時点で、吸気して排水作用は自動停止する機構であり、
【手続補正９】
【補正対象書類名】明細書
【補正対象項目名】００２９
【補正方法】変更
【補正の内容】
【００２９】  灌漑期には、水槽排水弁２３及び越流止水弁３５を閉じて、サイフォン吸気口位置可変チューブ２７の設定水位を、該水稲成育期のアタッチメント設定水位と同一高さに設定することで、不時の降雨により耕区の水位がアタッチメント水位設定以上に上昇すると、サイフォン作用による自動排水が行われて、降雨終了後の水位はアタッチメントの設定水位に復元し、中干し作業時には、越流止水弁３５を開けてサイフォン吸気口位置可変チューブ２７のチューブ端の高さを、サイフォン管流入部３０の端部高さと同一高さ以下に設定することで、暗渠排水口兼地下潅漑口３２を介して耕区の排水が行われて耕区が水位が低下し、中干し作業に要する作業労力の軽減が行われる。
【手続補正１０】
【補正対象書類名】明細書
【補正対象項目名】００３０
【補正方法】変更
【補正の内容】
【００３０】  非灌漑期には用水弁１３を閉めて水槽排水弁２３を開けることで、暗渠排水口兼地下潅漑口３２及び水槽排水管２８より自然排水が行われ耕区の乾田化を促進し、不時の降雨に対しては、越流止水弁３５を開けサイフォン吸気口位置可変チューブ２７端部の高さをサイフォン管流入部３０の端部高さ以下に設定することで、該農地の栽培作目が蒙る被害を免れる他、地下潅漑は、水槽排水弁２３を閉じて、地下潅漑計画水位及びサイフォン吸気口位置可変チューブ２７の端部高さを同一以下に設定することで可能である。
【手続補正１１】
【補正対象書類名】明細書
【補正対象項目名】００３１
【補正方法】変更
【補正の内容】
【００３１】  本請求項１及び請求項２に記述した事項は、急傾斜地域の水田水管理にも共通するものである。又、潅漑期及び非潅漑期において得られ水文関連の諸データーをネットワークに組み込んで操作をすることにより、洪水の流出量調整に寄与するものと考え、今後の進展が期待される。
【手続補正１２】
【補正対象書類名】明細書
【補正対象項目名】００３２
【補正方法】変更
【補正の内容】
【００３２】  １  用排兼用管水路
２  耕区
３  用排水槽
４  用排水槽底板
５  浮体
６  側壁
７  側壁
８  側壁
９  側壁
１０  農道路面高
１１  耕区田面高
１２  用水管
１３  用水弁
１４  サイフォン管吐出部
１５  肘形管
１６  注水口
１７  アタッチメント設置棒
１８  軽比重材製板
１９  止水板
２０  合成浮体保持柵
２１  合成浮体保持柵止
２２  代掻き用堰板
２３  水槽排水弁
２４  用水口
２７  サイフォン吸気口位置可変チューブ
２８  水槽排水管
２９  潅漑期サイフォン吸気口位置可変チューブ位置
３０  サイフォン管流入部
３１  潅漑期サイフォン管越流部
３２  暗渠排水口兼地下潅漑口
３４  非潅漑期サイフォン管越流部
３５  越流止水弁
【手続補正１３】
【補正対象書類名】特許請求の範囲
【補正対象項目名】全文
【補正方法】変更
【補正の内容】
【特許請求の範囲】
【請求項１】
本装置設置高より自然的又は人為的に排水流末高が相応に低位にある地域において、農道路肩から法面の農道敷地内に用排水兼用の用排兼用管水路を埋設し、該兼用管水路と耕区へ給水する用排水槽とを用水管で接続し、該用排水槽内に有蓋中空箱形立方体の４隅に、後述の棒状中空管の日減水深設定アタッチメント設置棒を設置した浮体を作製して配置の後、前記兼用管水路から用水管及び注水口を経て用排水槽内に注水の後、中空の浮体に前記日減水深設定アタッチメント設置棒を介して注水し、該浮体上面が耕区田面高で停止するように浮体の自重を調整した後、該浮体上面に耕区の最大日減水深に対応する厚さを軽比重製板と柔軟性を有し止水効果の高い止水板とで、後者を前者の上に重ねて代掻き期及び水稲生育期別毎に取り換えて使用する日減水深設定アタッチメントを製作し、該アタッチメントと既述浮体とを合体して合成浮体と称し、耕区の必要用水量を既述兼用管水路から用水口を経て耕区へ流入させ、時間の経過ともに耕区の水位は上昇し、合成浮体の浮力で止水板は加圧され注水口を必然的に閉塞して耕区への注水は停止し、耕区の水位が低下するに伴い水槽水位と合成浮体ともに下降して止水板への加圧が減少すると、合成浮体は自動的に下降に転じて注水口から耕区への注水が再開されることを特徴とする用排水装置。
【請求項２】
潅漑期降雨時には、越流止水弁・水槽排水弁を共に閉めてサイフォン吸気口位置可変チューブの吸気口高さを該水稲生育期の日減水深アタッチメントと同一高さに設定することで降雨終了後の田面水位を該期アタッチメントの設定水位と同一高さに復元し、中干し作業時には、越流止水弁を開き水槽止水弁を閉じてサイフォン吸気口位置可変チューブ端部の高さをサイフォン流入口端部の高さ以下に設定して耕区の水位を下げて中干し作業労力を軽減し、非潅漑期には、越流止水弁を開け水槽止水弁を閉めてサイフォン吸気口位置可変チューブ端部の高さをサイフォン管流入端部高さ以下に設定することで該農地の栽培作目の洪水被害を防止すると共に水田の乾田化を促進し、地下潅漑は、越流止水弁・水槽排水弁共に閉め、暗渠排水口兼地下潅漑口を介して地下潅漑計画水位まで湛水させることでこれを実現することを特徴とする請求項１に記載の用排水装置。
【手続補正１４】
【補正対象書類名】図面
【補正対象項目名】図１
【補正方法】変更
【補正の内容】
【図１】
2020174659.tif 000007
【手続補正１５】
【補正対象書類名】図面
【補正対象項目名】図２
【補正方法】変更
【補正の内容】
【図２】
2020174659.tif 000008
【手続補正書】
【提出日】令和1年11月12日(2019.11.12)
【手続補正１】
【補正対象書類名】明細書
【補正対象項目名】００１０
【補正方法】変更
【補正の内容】
【００１０】  第三に発明が解決しようとする課題は、不時の大雨において、該地域で栽培する作目の他、住宅・公共施設等一体の被災防止のためにサイフォン作用で排水を行い、後述の潅漑期及び非潅漑期に対応するサイフォン管越流部を設けてサイフォン吸気口位置可変チューブを所定位置に設置することである。
【手続補正２】
【補正対象書類名】明細書
【補正対象項目名】００１５
【補正方法】変更
【補正の内容】
【００１５】  排水管理において降雨が予知される場合に、サイフォン吸気口設置位置にサイフォン吸気口位置可変チューブ端の高さを耕区の畦畔高を超えない高さに設定することで、貯水ダム効果の数値化が可能で、設計数値以内を限度として該地域の農業及び一般施設等が被災を免れる他、人災等の回避も可能となる。
【手続補正３】
【補正対象書類名】特許請求の範囲
【補正対象項目名】請求項２
【補正方法】変更
【補正の内容】
【請求項２】
潅漑期の降雨時には、越流止水弁・水槽排水弁を共に閉めてサイフォン吸気口位置可変チューブの吸気口高さを該水稲生育期の日減水深アタッチメントと同一高さに設定することで降雨終了後の田面水位を該期アタッチメントの設定水位と同一高さに復元し、中干し作業時には、越流止水弁を開き水槽止水弁を閉じてサイフォン吸気口位置可変チューブ端部の高さをサイフォン流入端部の高さ以下に設定して耕区の水位を下げて中干し作業労力を軽減し、非潅漑期には、越流止水弁を開け水槽止水弁を閉めてサイフォン吸気口位置可変チューブ端部の高さをサイフォン管流入端部高さ以下に設定することで該地域の栽培作目の他、住宅・公共施設等の洪水被害を防止すると共に水田の乾田化を促進し、地下潅漑は、越流止水弁及び水槽排水弁共に閉め、暗渠排水口兼地下潅漑口を介して地下潅漑計画水位まで湛水させてこれを実現することを特徴とする請求項１に記載の用排水装置。
【手続補正書】
【提出日】令和2年1月20日(2020.1.20)
【手続補正１】
【補正対象書類名】明細書
【補正対象項目名】００１４
【補正方法】変更
【補正の内容】
【００１４】  従来の圃場整備事業計画では、用水路と排水路の設置計画を別個に行っていたが、用排水路・排水路を同時に使用することはなく、用水路・排水路の何れか大きい流量を流下可能断面積を採用することで、兼用管水路一本の設置で用排水計画は成立する。但し、該水路末端に該水路末端耕区の用排水管理を行う用排水装置を設けるが、該装置規模は該水路に対応する設備とする。
【手続補正書】
【提出日】令和2年6月12日(2020.6.12)
【手続補正１】
【補正対象書類名】特許請求の範囲
【補正対象項目名】請求項２
【補正方法】変更
【補正の内容】
【請求項２】
代かき期には代かき用水堰板で用水口を塞ぎ、泥水の用排水槽への流入を防止し、灌漑期の降雨時には、越流止水弁・用排水槽弁を閉めて、サイフォン吸気口位置可変チューブ端部高さを該水稲生育期の日減水深アタッチメントと同一高さに設定し、該降雨終了後の田面水位を該期アタッチメントの設定水位と同一高さに復元させ、中干し作業時には、越流止水弁を開き用排水槽弁を閉じてサイフォン吸気口位置可変チューブ端部高さをサイフォン流入口端部高さと同一高さに設定することで、中干し作業労力の軽減及び水田の乾田化を図り、併せて計画隣接地域の住宅・公共施設等の洪水被害を防止し、地下灌漑は、越流止水弁及び用排水槽弁を閉め、地下潅漑計画水位をサイフォン吸気口位置可変チューブ端部高さに設定の後、暗渠排水口兼地下潅漑口を介してこれを実現することを特徴とする請求項１に記載の用排水装置。
【手続補正２】
【補正対象書類名】図面
【補正対象項目名】図１
【補正方法】変更
【補正の内容】
【図１】
2020174659.tif 000009